(57)【特許請求の範囲】
【請求項１】
三方枠内にスライド可能に取り付けられている可動部材、
前記三方枠内に設けられた光源装置と、前記三方枠の一部に設けられた開口部を塞ぎ、前記光源装置からの光を乗場側へ透過する表示体とを有し、前記可動部材に取り付けられているホールランタン本体、及び
前記可動部材に前記ホールランタン本体を取り付ける本体取付具
を備え、
前記ホールランタン本体は、前記可動部材のスライドにより、前記表示体が前記開口部を塞ぐ通常位置と、前記通常位置よりも乗場側へ引き出された引出位置との間で変位可能となっており、
前記ホールランタン本体が前記引出位置に位置するとき、前記可動部材の一部及び前記本体取付具が前記開口部から前記三方枠外に露出されるようになっていることを特徴とするエレベータのホールランタン装置。
【請求項２】
三方枠内にスライド可能に取り付けられている可動部材、及び
前記三方枠内に設けられた光源装置と、前記三方枠の一部に設けられた開口部を塞ぎ、前記光源装置からの光を乗場側へ透過する表示体とを有し、前記可動部材に取り付けられているホールランタン本体
を備え、
前記光源装置は、光源取付具により前記ホールランタン本体に取り付けられており、
前記ホールランタン本体は、前記可動部材のスライドにより、前記表示体が前記開口部を塞ぐ通常位置と、前記通常位置よりも乗場側へ引き出された引出位置との間で変位可能となっており、
前記ホールランタン本体が前記引出位置に位置するとき、前記光源取付具が前記三方枠外に露出されるようになっていることを特徴とするエレベータのホールランタン装置。
【請求項３】
三方枠内にスライド可能に取り付けられている可動部材、及び
前記三方枠内に設けられた光源装置と、前記三方枠の一部に設けられた開口部を塞ぎ、前記光源装置からの光を乗場側へ透過する表示体とを有し、前記可動部材に取り付けられているホールランタン本体
を備え、
前記表示体は、表示体取付具により前記ホールランタン本体に取り付けられており、
前記ホールランタン本体は、前記可動部材のスライドにより、前記表示体が前記開口部を塞ぐ通常位置と、前記通常位置よりも乗場側へ引き出された引出位置との間で変位可能となっており、
前記ホールランタン本体が前記引出位置に位置するとき、前記表示体取付具が前記三方枠外に露出されるようになっていることを特徴とするエレベータのホールランタン装置。
【発明の詳細な説明】
【技術分野】
【０００１】
この発明は、エレベータのホールランタン装置に関し、特に乗場の三方枠に直付けされるタイプのホールランタン装置に関するものである。
【背景技術】
【０００２】
従来のエレベータのホールランタン装置では、表示体に隣接する隙間から治具を挿入して板ばねを弾性変形させることにより、表示体が回動自在となる。この状態から表示体を回動させ、開口部を開放することにより、ランプの交換が可能となる（例えば、特許文献１参照）。
【先行技術文献】
【特許文献】
【０００３】
【特許文献１】特開２００１−１６３５３８号公報
【発明の概要】
【発明が解決しようとする課題】
【０００４】
上記のような従来のエレベータのホールランタン装置では、表示体を回転させるためにランプ収容部の構造が複雑となる。また、イタズラ等により表示体が傷付いた場合、表示体の交換は容易ではない。
【０００５】
この発明は、上記のような課題を解決するためになされたものであり、簡単な構成により、部品交換を容易に行うことができるエレベータのホールランタン装置を得ることを目的とする。
【課題を解決するための手段】
【０００６】
この発明に係るエレベータのホールランタン装置は、三方枠内にスライド可能に取り付けられている可動部材、三方枠内に設けられた光源装置と、三方枠の一部に設けられた開口部を塞ぎ、光源装置からの光を乗場側へ透過する表示体とを有し、可動部材に取り付けられているホールランタン本体、及び可動部材に前記ホールランタン本体を取り付ける本体取付具を備え、ホールランタン本体は、可動部材のスライドにより、表示体が開口部を塞ぐ通常位置と、通常位置よりも乗場側へ引き出された引出位置との間で変位可能となっており、ホールランタン本体が引出位置に位置するとき、可動部材の一部及び本体取付具が開口部から三方枠外に露出されるようになっている。
【発明の効果】
【０００７】
この発明のエレベータのホールランタン装置は、ホールランタン本体と三方枠との間にスライド可能な可動部材を設け、ホールランタン本体を通常位置と引出位置との間で変位可能とし、引出位置では本体取付具が三方枠外に露出されるようにしたので、引出位置に移動させることによりホールランタン本体全体を三方枠から容易に取り外すことができ、簡単な構成により、部品交換を容易に行うことができる。
【図面の簡単な説明】
【０００８】
【図１】この発明の実施の形態１によるエレベータの乗場を示す正面図である。
【図２】図１のＩＩ−ＩＩ線に沿う断面図である。
【図３】図２のＩＩＩ−ＩＩＩ線に沿う断面図である。
【図４】図２のＩＶ−ＩＶ線に沿う断面図である。
【図５】図３のホールランタン本体を引出位置に変位させた状態を示す断面図である。
【図６】図４のホールランタン本体を引出位置に変位させた状態を示す断面図である。
【図７】図６の本体用皿ねじを取り外した状態を示す断面図である。
【図８】図７のホールランタン本体を可動部材から取り外した状態を示す断面図である。
【図９】図６の光源装置をホールランタン本体から取り外した状態を示す断面図である。
【図１０】図６の表示体をホールランタン本体から取り外した状態を示す断面図である。
【発明を実施するための形態】
【０００９】
以下、この発明を実施するための形態について、図面を参照して説明する。
実施の形態１．
図１はこの発明の実施の形態１によるエレベータの乗場を示す正面図である。図において、乗場出入口１の左右及び上部には、乗場壁２に対して固定された三方枠３が設けられている。三方枠３は、左右一対の縦枠３ａと、縦枠３ａの上端部間に設けられた上枠３ｂとを有している。
【００１０】
三方枠３の昇降路側には、乗場出入口１を開閉する一対の乗場の戸４が設けられている。一方の縦枠３ａには、かご（図示せず）の到着を点灯で知らせるホールランタン装置５が設けられている。縦枠３ａの乗場側の角部には、ホールランタン装置５を乗場に露出させる開口部３ｃが設けられている。
【００１１】
ホールランタン装置５は、中間階では、かごの到着だけでなく、かごの進行方向も知らせるため、上下２つ並べて配置されている。但し、最上階及び最下階では、かごの進行方向を知らせる必要がないため、１つのみ配置されている。
【００１２】
図２は図１のＩＩ−ＩＩ線に沿う断面図であり、縦枠３ａの外側から見たホールランタン装置５の側面を示している。図３は図２のＩＩＩ−ＩＩＩ線に沿う断面図、図４は図２のＩＶ−ＩＶ線に沿う断面図であり、それぞれホールランタン装置５の水平断面を示している。
【００１３】
縦枠３ａ内には、平板状の可動部材１１がスライド可能に取り付けられている。可動部材１１は、縦枠３ａの内面に沿って、水平にスライド可能となっている。可動部材１１には、可動部材１１のスライドを案内する一対の長穴１１ａが設けられている。長穴１１ａは、上下方向に間隔をおいて互いに平行に設けられている。
【００１４】
縦枠３ａの内面には、長穴１１ａに係合する一対のガイド部１２が設けられている。可動部材１１をスライドさせると、ガイド部１２は長穴１１ａ内を相対的に移動される。
【００１５】
各ガイド部１２は、図４に示すように、縦枠３ａの内面に固着され長穴１１ａを貫通するスタットねじ１３と、長穴１１ａ内に挿入されスタットねじ１３が貫通する円筒形のスペーサ１４と、スタットねじ１３に螺着されたナット１５とを有している。また、スペーサ１４の厚さは、可動部材１１の厚さよりも若干大きい。
【００１６】
可動部材１１の乗場側の端部には、縦枠３ａに対して可動部材１１とともにスライドされる本体保持板１６が取り付けられている。本体保持板１６は、縦枠３ａの内面に当接された垂直部１６ａと、垂直部１６ａの上下両端部を直角に折り曲げた上下の水平部１６ｂ，１６ｃとを有している。即ち、本体保持板１６の断面形状はコ字形である。
【００１７】
垂直部１６ａの可動部材１１側の端部１６ｄは、図４に示すように、可動部材１１の板厚分だけＺ字形に折り曲げられて可動部材１１に重ねられている。そして、端部１６ｄは、乗場出入口１側から、本体取付具としての複数の本体用皿ねじ１７により、可動部材１１に固定されている。これにより、本体保持板１６は、可動部材１１に取り付けられている。但し、本体用皿ねじ１７は、通常は縦枠３ａの内側に隠れている。
【００１８】
縦枠３ａの内面には、垂直部１６ａの上下両端部近傍で本体保持板１６を縦枠３ａに押さえ付ける一対の板ばね状の押さえ部材１８が取り付けられている。各押さえ部材１８は、縦枠３ａの内面に固着され押さえ部材１８を貫通する複数のスタットねじ１９と、スタットねじ１９にそれぞれ螺着された複数のナット２０とにより、縦枠３ａに固定されている。
【００１９】
本体保持板１６には、平板状の遮光板２１が断面Ｚ字形の取付座２２を介して取り付けられている。遮光板２１は、垂直部１６ａに対して所定の間隔をおいて平行に配置されている。取付座２２は、溶接等により本体保持板１６に固定されている。また、遮光板２１は、複数の遮光板取付ねじ２３により取付座２２に固定されている。
【００２０】
遮光板２１の本体保持板１６に対向する面には、断面Ｌ字形の光源取付板２４が取り付けられている。光源取付板２４は、乗場出入口１側から、光源取付具としての複数の光源取付ねじ２５により、遮光板２１に固定されている。
【００２１】
光源取付板２４には、上下２つのホールランタン装置５用の光源装置２６がねじ止めされている。光源装置２６は、プリント基板と、プリント基板に実装された複数のＬＥＤとを有している。プリント基板は、上下のホールランタン装置５で共通でも別々でもよい。
【００２２】
垂直部１６ａの光源取付板２４及び光源装置２６に対向する部分には、図４に示すように、光源取出孔１６ｅが設けられている。光源取出孔１６ｅは、通常は縦枠３ａにより塞がれている。
【００２３】
本体保持板１６の乗場側端部には、光源装置２６からの光を乗場側へ透過する上下２つの表示体２７が取り付けられている。各表示体２７は、光を透過する樹脂材料、例えば乳白色のアクリルブロックにより構成されている。
【００２４】
表示体２７は、通常は縦枠３ａの開口部３ｃを塞いでいる。また、２つの表示体２７の集合体の昇降路側端部の３面（上下面及び乗場出入口１側の側面）には、本体保持板１６が当接している。さらに、残りの１面（乗場出入口１とは反対の側面）には、遮光板２１が当接している。
【００２５】
表示体２７の昇降路側端部は、乗場出入口１側から、表示体取付具としての複数の表示体用皿ねじ２８により、本体保持板１６に固定されている。但し、表示体用皿ねじ２８は、通常は縦枠３ａの内側に隠れている。
【００２６】
ホールランタン本体２９は、本体保持板１６、遮光板２１、取付座２２、遮光板取付ねじ２３、光源取付板２４、光源取付ねじ２５、光源装置２６、表示体２７及び表示体用皿ねじ２８を有している。
【００２７】
また、ホールランタン本体２９は、可動部材１１のスライドにより、表示体２７が開口部３ｃを塞ぐ通常位置（図１〜４）と、通常位置よりも乗場側へ引き出された引出位置（図５、６）との間で変位可能となっている。
【００２８】
ホールランタン本体２９が引出位置に位置するとき、可動部材１１の乗場側端部及び本体用皿ねじ１７は、開口部３ｃから縦枠３ａ外に露出される。また、ホールランタン本体２９が引出位置に位置するとき、表示体用皿ねじ２８及び光源取出孔１６ｅが縦枠３ａ外に露出され、これにより光源取付ねじ２５も光源取出孔１６ｅを通して縦枠３ａ外に露出される。
【００２９】
次に、ホールランタン本体２９の取り外し方法について説明する。吸着盤３０（図５）等の引出治具を用いて表示体２７を乗場側へ引っ張り、ホールランタン本体２９を図５及び図６に示す引出位置まで変位させる。このとき、本体保持板１６は押さえ部材１８から引き抜かれ、ガイド部１２は長穴１１ａの昇降路側端部まで相対的に移動される。
【００３０】
この後、図７に示すように、開口部３ｃから縦枠３ａ外に露出された本体用皿ねじ１７を乗場側から取り外す。そして、図８に示すように、ホールランタン本体２９を乗場側へさらに引き抜くことにより、ホールランタン本体２９を可動部材１１から取り外すことができる。
【００３１】
このように、ホールランタン本体２９を取り外した後、ホールランタン本体２９全体の交換やホールランタン本体２９内の部品の交換を行う。また、ホールランタン本体２９の装着手順は、上記の逆の手順である。
【００３２】
また、図５及び図６の状態から、光源取出孔１６ｅを通して光源取付ねじ２５を取り外すことにより、図９に示すように、本体保持板１６は可動部材１１に取り付けたままで、光源装置２６を光源取付板２４とともにホールランタン本体２９から取り外すこともできる。
【００３３】
さらに、図５及び図６の状態から、表示体用皿ねじ２８を取り外すことにより、図１０に示すように、本体保持板１６は可動部材１１に取り付けたままで、表示体２７をホールランタン本体２９から取り外すこともできる。
【００３４】
このようなホールランタン装置５では、ホールランタン本体２９と縦枠３ａとの間にスライド可能な可動部材１１を設け、ホールランタン本体２９を通常位置と引出位置との間で変位可能とし、引出位置では本体用皿ねじ１７が縦枠３ａ外に露出されるようにしたので、引出位置に移動させることによりホールランタン本体２９全体を縦枠３ａから容易に取り外すことができ、簡単な構成により、部品交換を容易に行うことができる。
【００３５】
また、引出位置では光源取付ねじ２５が縦枠３ａ外に露出されるので、ホールランタン本体２９を引出位置に移動させることにより光源装置２６をホールランタン本体２９から容易に取り外すことができ、簡単な構成により、部品交換を容易に行うことができる。
【００３６】
さらに、引出位置では表示体用皿ねじ２８が縦枠３ａ外に露出されるので、ホールランタン本体２９を引出位置に移動させることにより表示体２７をホールランタン本体２９から容易に取り外すことができ、簡単な構成により、部品交換を容易に行うことができる。
【００３７】
なお、実施の形態１では、本体用皿ねじ１７、光源取付ねじ２５及び表示体用皿ねじ２８の３つが引出位置で取り外し可能となるようにしたが、これらのうちの少なくとも１つが引出位置で取り外し可能であれば、少なくともそのねじが固定している部品の交換を容易に行うことができる。
【００３８】
また、実施の形態１では、上下２つのホールランタン装置５で可動部材１１、本体保持板１６及び遮光板２１等を共用しているため、上下の表示体２７が同時に変位されるが、２つのホールランタン装置５のそれぞれに可動部材１１等を設け、上下の表示体２７が独立して変位されるようにしてもよい。
【００３９】
さらに、実施の形態１では、長穴１１ａとガイド部１２とにより可動部材１１の移動を案内したが、可動部材１１を案内する機構はこれに限定されるものではなく、例えば、可動部材１１の上下端部に係合する一対のガイドレールを三方枠３の内面に固定するとともに、可動部材１１の乗場側への移動を規制するストッパを可動部材１１に設けるなどしてもよい。
【００４０】
さらにまた、実施の形態１では、ホールランタン装置５を水平に変位させたが、例えば通常位置から引出位置へ向けて斜め上方へ変位させるようにしてもよく、振動等によりホールランタン本体２９が通常位置から引出位置側へ不必要に変位するのを防止することができる。
【００４１】
また、本体取付具、光源取付具及び表示体取付具は、それぞれねじに限定されるものではない。
さらに、光源装置２６は、ＬＥＤを光源とするものに限定されない。
さらにまた、三方枠３に対するホールランタン装置５の設置位置は、図１に示した位置に限定されない。
また、表示体２７の形状も実施の形態１に限定されるものではなく、例えば円柱状等であってもよい。
【符号の説明】
【００４２】
３  三方枠、３ｃ  開口部、１１  可動部材、１７  本体用皿ねじ（本体取付具）、２５  光源取付ねじ（光源取付具）、２６  光源装置、２７  表示体、２８  表示体用皿ねじ（表示体取付具）、２９  ホールランタン本体。
【図１】
0005523151.tif 000002
【図２】
0005523151.tif 000003
【図３】
0005523151.tif 000004
【図４】
0005523151.tif 000005
【図５】
0005523151.tif 000006
【図６】
0005523151.tif 000007
【図７】
0005523151.tif 000008
【図８】
0005523151.tif 000009
【図９】
0005523151.tif 000010
【図１０】
0005523151.tif 000011